(57)【要約】【課題】古紙再生工程において、ＩＣタグを除去しやすく、再生パルプにＩＣチップやアンテナの破片が混入しにくい書籍を提供する。【解決手段】ＩＣタグ６を構成するベースフィルム１７を、熱可塑性樹脂により形成し、製本工程において、丁合本４に接着層５ａを形成した後、ＩＣタグ６を取り付け、さらにその上に接着層５ｂを形成する。ベースフィルム１７は、製本時に接する接着層５ａおよび５ｂの熱で軟化し、接着層５ａおよび５ｂと融合し、接着層１９となる。接着層１９はＩＣタグ６のアンテナ１５とＩＣチップ１３を包埋する。ＩＣチップ１３、アンテナ１５と一体化した接着層１９は、古紙再生工程の除塵工程において除去され、再生パルプにはＩＣチップ１３やアンテナ１５の破片は含まれない。【選択図】図１
2009073174.tif 000002
【特許請求の範囲】
【請求項１】
表紙と本が、積層される第１の接着層と第２の接着層により接着され、
ベースフィルムと、前記ベースフィルム上に形成されたアンテナと、前記アンテナに接続するＩＣチップと、を有するＩＣタグを、前記第１の接着層及び前記第２の接着層中に設け、
前記ＩＣタグの前記ベースフィルムが熱可塑性樹脂又は熱硬化性樹脂、ゴムからなることを特徴とする書籍。
【請求項２】
前記ベースフィルムと前記第１の接着層及び前記第２の接着層が融合し、前記ＩＣチップと前記アンテナとを包埋していることを特徴とする請求項１記載の書籍。
【請求項３】
前記ベースフィルムが、ポリウレタン樹脂、エチレン−酢酸ビニル共重合樹脂、塩化ビニル樹脂、酢酸ビニル樹脂、ポリエチレン樹脂、ポリプロピレン樹脂、アクリル樹脂、エポキシ樹脂、ゴムであることを特徴とする請求項１または請求項２記載の書籍。
【請求項４】
前記接着層と、前記ベースフィルムとが、同じ材料で形成されていることを特徴とする請求項１ないし請求項３記載の書籍。
【請求項５】
本の背中部に第１の接着層を形成する工程（ａ）と、
ベースフィルムと、前記ベースフィルム上に形成されたアンテナと、前記アンテナに接続するＩＣチップと、を有するＩＣタグを、前記背中部に取り付ける工程（ｂ）と、
前記背中部に第２の接着層を形成する工程（ｃ）と、
前記背中部に表紙を固定する工程（ｄ）と、
を具備し、
前記ベースフィルムと前記接着層が、融合し、前記ＩＣチップと前記アンテナとを包埋することを特徴とする書籍の製造方法。
【請求項６】
前記工程（ａ）及び前記工程（ｃ）は、接着剤の塗布、熱可塑性樹脂シートの積層によることを特徴とする請求項５記載の書籍の製造方法。
【発明の詳細な説明】
【技術分野】
【０００１】
本発明は、古紙リサイクルに適したＩＣタグ付き書籍などに関する。
【背景技術】
【０００２】
近年、バーコードに代えて、非接触で情報の読み出しおよび書き込みが可能なＩＣタグ（ＲＦＩＤタグ、無線タグ、非接触ＩＣ，非接触ＩＣタグなどと表現することもあるが、本明細書では総称して、「ＩＣタグ」とする。）を商品に付して市場で必要なさまざまな情報の管理を可能にすることが提案されている。書籍においても、ＩＣタグを取り付け、万引き防止機能を付与するのみならず、それらの流通や在庫・販売時点においても必要なさまざまな情報管理をすることが考えられている。そのため、書籍の販売段階でＩＣタグを取り付ける煩を避け、印刷または製本の工程でＩＣタグを取り付ける（例えば、特許文献１参照）。
【０００３】
また、資源の有効利用を行うべく、書籍をはじめとする古紙から再生パルプを製造することが行われている。再生パルプの製造方法としては、古紙原料をパルパーで離解して繊維化する離解工程、得られたパルプ懸濁液からスクリーンにて異物を除去する除塵工程、パルプ懸濁液からフローテーターにてインキ成分を除去する脱墨工程を行い、漂白処理を経て再生パルプを得るのが一般的である（例えば、特許文献２参照）。
【０００４】
【特許文献１】特開２００４−２４９４９２号公報（第３頁）
【特許文献２】特開２００６−１８３２１０号公報（第２頁）
【発明の開示】
【発明が解決しようとする課題】
【０００５】
しかしながら、ＩＣタグのアンテナはアルミニウムなどの金属からなり、ＩＣタグのＩＣチップはシリコンからなるため、ＩＣタグのアンテナやＩＣチップは古紙再生工程においては不純物となる。アンテナやＩＣチップは、離解工程において１０〜２０μｍまで粉砕される。しかし、除塵工程においては、直径５０μｍ以上の不純物が除去され、脱墨工程においては、直径１０μｍ以下の粒子が除去される。そのため、古紙再生工程において、アンテナやＩＣチップの破片は除去されず、再生パルプに混入してしまうという問題があった。
【０００６】
本発明は、前述した問題点に鑑みてなされたもので、その目的とすることは、ＩＣタグのアンテナやＩＣチップが再生パルプに混入しにくいようにＩＣタグを取り付けた書籍などである。
【課題を解決するための手段】
【０００７】
前述した目的を達成するために、第１の発明は、表紙と本が、積層される第１の接着層と第２の接着層により接着され、ベースフィルムと、前記ベースフィルム上に形成されたアンテナと、前記アンテナに接続するＩＣチップと、を有するＩＣタグを、前記第１の接着層及び前記第２の接着層中に設け、前記ＩＣタグの前記ベースフィルムが熱可塑性樹脂又は熱硬化性樹脂、ゴムからなることを特徴とする書籍である。
また、前記ベースフィルムと前記第１の接着層及び前記第２の接着層が融合し、前記ＩＣチップと前記アンテナとを包埋していることが望ましく、前記ベースフィルムが、ポリウレタン樹脂、エチレン−酢酸ビニル共重合樹脂、塩化ビニル樹脂、酢酸ビニル樹脂、ポリエチレン樹脂、ポリプロピレン樹脂、アクリル樹脂、エポキシ樹脂、ゴムであることが望ましい。前記接着層と、前記ベースフィルムとが、同じ材料で形成されていてもよい。
【０００８】
第２の発明は、本の背中部に第１の接着層を形成する工程（ａ）と、ベースフィルムと、前記ベースフィルム上に形成されたアンテナと、前記アンテナに接続するＩＣチップと、を有するＩＣタグを、前記背中部に取り付ける工程（ｂ）と、前記背中部に第２の接着層を形成する工程（ｃ）と、前記背中部に表紙を固定する工程（ｄ）と、を具備し、前記ベースフィルムと前記接着層が、融合し、前記ＩＣチップと前記アンテナとを包埋することを特徴とする書籍の製造方法である。
【０００９】
また、前記工程（ａ）及び前記工程（ｃ）は、接着剤の塗布、熱可塑性樹脂シートの積層によってもよい。
【発明の効果】
【００１０】
本発明によれば、ＩＣタグのベースフィルムが、接着剤と親和性の高い熱可塑性樹脂であるため、製本工程において、ＩＣタグのベースフィルムは、接着層と融合し、ＩＣタグのアンテナとＩＣチップを包埋する。そのため、古紙再生工程の除塵工程において、ＩＣタグのアンテナとＩＣチップは、接着層と一体化した状態で除去され、再生パルプへのアンテナとＩＣチップの破片の混入を防止することができる。
【発明を実施するための最良の形態】
【００１１】
以下図面に基づいて、本発明の実施形態を詳細に説明する。
【００１２】
第１の実施形態に係る書籍１について説明する。
なお、請求項における第１の接着層は接着層５ａに、第２の接着層は接着層５ｂにそれぞれ対応し、本は丁合本４により構成される。
【００１３】
図１（ａ）は図２（ｅ）のＡ矢視図であり、丁合本４に表紙９を固定した直後である。丁合本４に接着層５ａを介して接着されているＩＣタグ６が、ＩＣタグ６取り付け後に形成された接着層５ｂに覆われている。ＩＣタグ６は、ベースフィルム１７と、その上に形成されたアンテナ１５と、それに接続されたＩＣチップ１３と、からなる。この段階では、接着層５ａおよび５ｂとベースフィルム１７はまだ融合していない。
【００１４】
図１（ｂ）は書籍１の図２（ｆ）のＢ矢視図であり、ベースフィルム１７と接着層５ａおよび５ｂが融合し、接着層１９を形成している。また、接着層１９はＩＣチップ１３とアンテナ１５を包埋している。
【００１５】
接着層５ａまたは５ｂに用いる接着剤としては、古紙再生工程で細裂化しにくく、スクリーンなどの除塵設備を通過しない難細裂性のホットメルト接着剤であれば特に限定されないが、より好ましくは、ポリウレタン樹脂、エチレン−酢酸ビニル共重合樹脂、塩化ビニル樹脂、酢酸ビニル樹脂、ポリエチレン樹脂、ポリプロピレン樹脂および、これらを混合した樹脂である。
【００１６】
ベースフィルム１７としては、製本時の接着層５ａまたは５ｂの温度である１５０℃〜１８０℃にて軟化する樹脂であって、接着層５ａまたは５ｂと親和性が高い樹脂であれば特に限定されないが、好ましくはゼラチン、ポリウレタン樹脂、エチレン−酢酸ビニル共重合樹脂、塩化ビニル樹脂、酢酸ビニル樹脂、ポリエチレン樹脂、ポリプロピレン樹脂、ゴムおよび、これらを混合した樹脂である。
【００１７】
ベースフィルム１７の材料と、接着層５の材料は、同じでもよいし、異なってもよい。
【００１８】
アンテナ１５は、ベースフィルム１７上にパターン形成されたアルミニウムや銅などの金属の膜からなる、平面コイル状またはダイポール型のアンテナである。ＩＣチップ１３はアンテナ１５に、接続されている。
【００１９】
ＩＣタグ６に粘着層を設ける場合には、粘着層に用いる粘着剤は、水または弱アルカリ性水溶液中で、細かく分散するとともに非粘着化する粘着剤からなり、再生パルプに悪影響を与えない。ポリアクリル酸エステル、ニトリルゴム、天然ゴム、シリコーン粘着剤、ポリ塩化ビニルなどの各種材料およびそれらの水性エマルジョン系の接着剤を使用する。
【００２０】
図２は、書籍１の製本工程を示す図である。図２（ａ）に示すように、一冊分のページがそろった丁合本４の背中部に、ロールコーター７により接着層５ａに用いる接着剤を塗布する。なお、丁合本４は、製本工程が完了するまで、クランパー（図示せず）により束ねられている。
【００２１】
その後、図２（ｂ）に示すように、ＩＣタグ６が丁合本４に固定される。この際、丁合本４の背中部には接着層５ａが形成されているため、ＩＣタグ６に粘着層などを設けなくてもよい。また、ＩＣタグ６の周囲は、接着層５ａと５ｂにはさまれるので、ベースフィルム１７を丁合本４の外側に向けてもよく、内側に向けてもよい。
【００２２】
図２（ｃ）に示すように、ロールコーター７により、接着層５ｂに用いる接着剤を丁合本４の背中部に塗布する。この際、ＩＣタグ６の上に接着層５ｂが形成され、ＩＣタグ６は、接着層５ａと接着層５ｂにはさまれる。
【００２３】
図２（ｄ）に示すように折り目１１を有する表紙９を丁合本４に接着層５ａ、５ｂを介して固定する。固定後の表紙９と丁合本４の位置関係は図２（ｅ）に示すようになる。その後、図２（ｆ）に示すように、表紙９を折り目１１にしたがって折り、書籍１の製本が完了する。
【００２４】
なお、書籍１の別の製本工程として、ＩＣタグ６を接着層５ｂにて予め接着した表紙９を、接着層５ａが形成された丁合本４に固定してもよい。
【００２５】
また、接着層５ａ、５ｂの形成は、接着剤の塗布だけでなく、熱可塑性樹脂シートの積層によってもよい。
【００２６】
熱可塑性樹脂シートの積層では、表紙９の背表紙部に熱可塑性樹脂シートを置き、更にその上にＩＣタグ６と熱可塑性樹脂シートを置き、更に丁合本４を置き、背表紙部を加熱することにより、書籍１の製本が行われる。熱可塑性樹脂シートとしては、ポリウレタン樹脂、エチレン−酢酸ビニル共重合樹脂、塩化ビニル樹脂、酢酸ビニル樹脂、ポリエチレン樹脂、ポリプロピレン樹脂および、これらを混合した樹脂などの熱可塑性樹脂を用いることができる。また、熱可塑性樹脂シートやＩＣタグ６を固定するため、粘着剤を用いてもよい。粘着剤としては、ポリアクリル酸エステル、ニトリルゴム、天然ゴム、シリコーン粘着剤、ポリ塩化ビニルなどの各種材料およびそれらの水性エマルジョンを使用する。熱可塑性樹脂を貼着した後、被着物を載せ、加熱により熱可塑性樹脂を軟化させ、被着物の接着物を固定する。
【００２７】
第１の実施の形態によれば、書籍１は、図１（ｂ）に示すように、ＩＣチップ１３とアンテナ１５は、接着剤１９によって取り囲まれている。また、接着層１９は、主に接着層５ａおよび５ｂからなり、難細裂性を持つ。そのため、古紙再生工程の離解工程において接着層１９は細裂化することはなく、ＩＣチップ１３やアンテナ１５の破片がパルプ懸濁液中に混入することはない。その後、除塵工程において、接着層１９とＩＣチップ１３とアンテナ１５がまとめて除去可能になる。そのため、再生パルプにＩＣチップ１３とアンテナ１５の破片が混入することがなくなる。
【００２８】
また、第１の実施の形態によれば、ＩＣタグ６が接着層５ａと接着層５ｂにはさまれているため、ＩＣチップ１３とアンテナ１５と接着層１９とが更に一体化しており、古紙再生工程において、再生パルプへのＩＣチップ１３とアンテナ１５の破片の混入が更に抑えられる。
【００２９】
次に、第２の実施形態について説明する。
以下の実施形態で第１の実施形態と同一の様態を果たす要素には同一の番号を付し、重複した説明は避ける。
【００３０】
熱可塑性の接着剤とベースフィルムを用いる第１の実施形態に対して、第２の実施形態は、接着層５ａと接着層５ｂに用いられる接着剤が反応性の接着剤であり、ベースフィルムと融合した接着層１９は硬化した接着層５ａ、５ｂであり、ベースフィルム１７は、硬化した接着層５ａ、５ｂと同じ材質からなる。
【００３１】
例えば、接着層５ａと接着層５ｂが、ビスフェノールＡとエピクロルヒドリンの共重合体に、ポリアミンや酸無水物などの硬化剤を添加したエポキシ接着剤を用いており、熱や紫外線などにより接着剤がエポキシ樹脂に硬化し、接着層１９となる。また、ベースフィルム１７にエポキシ樹脂を用いる。
【００３２】
また例えば、接着層５ａと接着層５ｂが、イソシアネート基を有する変性ウレタンポリマーといった１液型のウレタン接着剤を用いており、空気中の水分によりポリウレタンに硬化し、接着層１９を得る。また、ベースフィルム１７にポリウレタンを用いる。
【００３３】
また例えば、接着層５ａと接着層５ｂが、ポリエステルポリオールやポリエーテルポリオールといった主剤にポリイソシアネートといった硬化剤を加えた２液型のウレタン接着剤を用いており、主剤と硬化剤の反応によりポリウレタンに硬化し、接着層１９を得る。また、ベースフィルム１７にポリウレタンを用いる。
【００３４】
また例えば、接着層５ａと接着層５ｂが、シアノアクリル酸エステルモノマーといったアクリル瞬間接着剤であり、空気中の水分や微アルカリによりアクリル樹脂に硬化し、接着層１９を得る。また、ベースフィルム１７にアクリル樹脂を用いる。
【００３５】
第２の実施形態によれば、第１の実施形態と同様の効果を有する。
【００３６】
以上、添付図面を参照しながら、本発明にかかる書籍の好適な実施形態について説明したが、本発明は係る例に限定されない。当業者であれば、本願で開示した技術的思想の範疇内において、各種の変更例または修正例に想到しえることは明らかであり、それらについても当然に本発明の技術的範囲に属するものと了解される。
【図面の簡単な説明】
【００３７】
【図１】第１の実施の形態に係る書籍１の、（ａ）図２（ｅ）におけるＡ矢視図、（ｂ）図２（ｆ）におけるＢ矢視図。
【図２】第１の実施の形態に係る書籍１の製本工程を示す図。
【符号の説明】
【００３８】
１、２、３………書籍
４………丁合本
５………接着層
６………ＩＣタグ
７………ロールコーター
９………表紙
１１………折り目
１３………ＩＣチップ
１４………粘着層
１５………アンテナ
１７………ベースフィルム
１９………ベースフィルムと融合した接着層
【図１】
2009073174.tif 000003
【図２】
2009073174.tif 000004